【事件の表示】
　平成　８年特許願第　９４７９２号「除雪用エッジ部材の製造方法」拒絶査定不服審判事件〔平成　９年　９月３０日出願公開、特開平　９−２５３７７３〕について、次のとおり審決する。
【結　論】
　本件審判の請求は、成り立たない。
【理　由】
１．手続の経緯・本願発明
　本件出願は、平成８年３月２５日の出願であって、平成１７年７月１９日付けで拒絶の理由が通知され、その指定期間内の同年９月２６日に意見書の提出とともに明細書について補正がされ、再度、平成１８年３月２８日付けで拒絶の理由を通知し、期間を指定して意見書を提出する機会を与えたが、請求人からは何らの応答が無く、同年７月２７日付けで拒絶の査定がなされ、これに対して、同年９月４日に拒絶査定不服審判が請求されたものである。
　
　そして、本願の請求項１に係る発明は、平成１７年９月２６日付け手続補正書により補正された明細書及び図面の記載からみて、その特許請求の範囲の請求項１に記載された事項により特定されるとおりのものであると認められるところ、その請求項１に係る発明（以下、「本願発明」という。）は、次のとおりのものである。
「全体が平坦で、しかも片側の面における接地刃の端縁に、端部に向けて次第に薄肉となるよう傾斜させた接地側先端部を形成してなるエッジ部材であって、該エッジ部材の接地刃に、接地端面に開口する溝を上記エッジ部材の長さ方向に向けて一定間隔毎に多数形成する場合において、上記溝の大きさに対応し、しかもエッジ部材における接地側先端部に対応する部分のみ、その傾斜形状に対応させて次第に高さを増すように下向きに突出させた１又は２以上のパンチと、該パンチに対応するダイス溝とにより順次加圧打ち抜き加工するようにしたことを特徴とする除雪用エッジ部材の製造方法。」
　
２．原査定の拒絶の理由
　原査定の拒絶の理由（平成１８年３月２８日付け）は、「請求項１の「その傾斜形状に対応させて次第に高さを増すように下向きに突出させた」との点は願書に最初に添付した明細書又は図面には記載されていない。図１及び２には確かにパンチ下面の一部が下向きに傾斜して突出するように描かれているが、この傾斜及び突出の範囲及び程度がエッジ部材における接地側先端部に対応しているとは明記されておらず、また、一般に平板を打ち抜き加工する場合にもパンチの下面を傾斜面に形成することがあるから、当業者にとって自明であるとも認められない。
　【０００５】及び【００１３】についての補正も同様である。」というものである。
　
３．審判請求書における請求人の主張の概要
　請求人は、請求項１および段落０００５、００１３について、「その傾斜形状に対応させて次第に高さを増すように下向きに突出させた」と補正した点については、本願の願書に最初に添付した明細書又は図面の記載に根拠を見出すことができるものであり、特許法第１７条の２第３項に規定する要件を満たしているとして、審判請求後の平成１８年１１月１３日付け手続補正書の第１ページ下から８行目ないし第３ページ第３行で、「補正の適法性について」、「本願のパンチによる効果」という項目において、以下のように主張している。
　【補正の適法性について】
「ａ．まず願書に最初に添付された図面の図１には、「パンチブロック６」と、これを受ける「ダイスブロック８」、そしてこの両者間において溝３を打ち抜かれる「エッジ部材１」が示されている。この場合の「エッジ部材１」は全体が平坦で、しかも両側の接地側先端部２および４が斜め方向に次第に薄肉となるように形成されて断面が略台形に構成されたものであることは、願書に最初に添付された明細書［０００７］の第３−４行、および［０００１］の第２−３行に記載されている通りであり、また該エッジ部材１に形成される溝３は、片側の接地刃における接地側先端部２寄りに、（片側を）該接地側先端部２側に開口させて略Ｕ字状をなしており、しかも該溝３がエッジ部材１の長さ方向に向けて一定間隔毎に多数形成されることについても明細書［０００８］第１−３行に記載されている通りである。
　さらに「パンチブロック６」は、上記した接地部材１の加工すべき溝に対応する形状ならびに大きさのパンチ（明細書［０００８］の第４−６行および［０００６］の第１行に記載）７を有し、しかもこれらのパンチ７が形成すべき溝３・３間の必要間隔を介して下向きに突出形成されている。
　ｂ．したがって、パンチブロック６に下向きに突出形成されたパンチの形状については、上記した通り「形成すべき溝３に対応する形状ならびに大きさ」というこになるが、「形成すべき溝３に対応する形状ならびに大きさ」とは、全体が平坦で、しかも両側の接地側先端部２および４が斜め方向に次第に薄肉となるように形成されて断面が略台形に構成された、その片側の接地側先端部２にかけて斜め方向に次第に薄肉となるように形成される接地刃の断面形状における表面形状に対応させた形状であることになる。そうであるとすれば、これに対応させるパンチの形状については「その傾斜形状に対応させて次第に高さを増すように下向きに突出させた」となることは論理的帰結と言えるものである。
　ｃ．なおパンチの「（エッジ部材１の溝３を形成する接地部の表面形状に対応させて）次第に高さを増すように」との表現については、エッジ部材１の溝３を形成する片側接地部の厚みや傾斜度について、除雪用エッジ部材１として、通常の除雪用のほかに氷結化した箇所の除雪用、あるいはある程度厚みのある氷結箇所の除雪用など、エッジ部材の用途如何により一様ではなく、したがってエッジ部材１に対応させたパンチブロック６のパンチ７の傾斜及び突出の範囲及び程度についても具体的に特定することはできない。
　・・・」
　
　【本願のパンチによる効果】
「本願の発明は、上記したようにパンチブロック６に下向きに突出形成されたパンチ７の形状について、エッジ部材１の平坦部に対応する平坦部分のほかに、エッジ部材１の片側接地部の傾斜形状に対応させて次第に高さを増すように下向きに突出させた傾斜部分とを有するために、エッジ部材１に略Ｕ字状の溝３を打ち抜く際に、パンチ７がエッジ部材１の平坦部から接地側先端部２の傾斜形状にかけて同時に加圧接して剪断がおこなわれ、剪断に際してパンチ７に偏荷重がかからず、パンチ７がダイスブロック８のダイス溝９内に垂直に挿入される結果、パンチ７の折損や変形、あるいは打ち抜かれた溝３へのバリの発生が防止でき、パンチブロック６およびダイスブロック８の耐久性を向上させるとともに、曲がりのない高品質のエッジ部材を得ることができる。
　すなわち、パンチブロック６に下向きに突出形成されたパンチ７の形状について、すべて平坦である場合においては、エッジ部材１に略Ｕ字状の溝３を打ち抜く際に、パンチ７が先ずエッジ部材１の平坦部に当接して剪断を開始し、その後にエッジ部材１の接地側先端部２の次第に薄肉となる傾斜形状部分に沿って順次当接して剪断することになるために、エッジ部材１に略Ｕ字状の溝３を打ち抜く際にパンチ７で、エッジ部材１に対して材料に当たる部分と当たらない部分とができることにより、パンチ７で、部分的に大きな負荷、すなわち偏荷重がかかってパンチ７が折れや変形を生じて耐久寿命が短くなり、あるいはパンチ７とダイス溝９とのクリアランスが不均一になって、打ち抜かれた溝３にバリが発生するなどの不都合が生じやすい。
　そこで本願の発明はパンチブロック６に下向きに突出形成されたパンチ７の形状について、エッジ部材１の平坦部に対応する平坦部分のほかに、エッジ部材１の片側接地部の傾斜形状に対応させて次第に高さを増すように下向きに突出させた傾斜部分とを有することにより、上記した課題を解決するようにしたものである。」
　
４．当審の判断
　平成１８年３月２８日付けの拒絶の理由が妥当なものであるか、以下検討する。
　当該補正箇所は、補正前は「溝に対応する１又は２以上のパンチ」であったものが、補正後は「溝の大きさに対応し、しかもエッジ部材における接地側先端部に対応する部分のみ、その傾斜形状に対応させて次第に高さを増すように下向きに突出させた１又は２以上のパンチ」に補正したものである。
　そして、本件出願当初明細書には、「その傾斜形状に対応させて次第に高さを増すように下向きに突出させた」という記載そのものは存在しない。一方、出願当初の図面を参照すると、パンチ７が傾斜部を有し、下向きに突出していることから、「次第に高さを増すように下向きに突出させた」パンチということが看取できる。
　そこで、「その傾斜形状に対応させて次第に高さを増すように下向きに突出させた」点が、本件出願当初明細書又は図面に記載されたに等しい事項であるか、以下検討する。
　
　本件出願当初明細書の段落０００６には、「エッジ部材に対する溝の形成は、加工すべき溝に対応する形状のパンチ、およびダイス溝との間に、エッジ部材の被加工部分を位置合わせし、上記したパンチを加圧してエッジ部材の目的箇所に対して順次溝を形成する。」と、段落０００８には、「さらに片側の接地側先端部２寄りには、該接地側先端部２側に開口させたところの、ほぼ長Ｕ字状をした溝３が該エッジ部材１の長さ方向に向けて一定間隔毎に多数形成される。　この溝３の形成は、前記したパンチブロック６とダイスブロック８とにより打ち抜かれる。　すなわち、パンチブロック６には、形成すべき溝３に対応する形状ならびに大きさのパンチ７が、形成すべき溝３・３間の必要間隔を介して２個下向きに突出形成され、またダイスブロック８には上記したパンチブロック６のパンチ７・７に対応する形状ならびに数のダイス溝９・９が形成されている。」と、それぞれ記載されている。
　これらの記載によると、段落０００６に記載された「加工すべき溝に対応する形状のパンチ」の「加工すべき溝」とは、段落０００８の記載から「ほぼ長Ｕ字状をした溝」であることが理解できる。
　また、段落０００８に「パンチブロック６には、形成すべき溝３に対応する形状ならびに大きさのパンチ７が、形成すべき溝３・３間の必要間隔を介して２個下向きに突出形成され、またダイスブロック８には上記したパンチブロック６のパンチ７・７に対応する形状ならびに数のダイス溝９・９が形成されている。」と記載されており、この記載にある「形成すべき溝３に対応する形状ならびに大きさのパンチ」についても、「
溝の形状に対応する形状ならびに大きさ
　さらに、ダイスブロックのダイス溝についても、段落０００８に「パンチブロック６のパンチ７・７に対応する形状ならびに数のダイス溝９・９が形成されている。」と記載されていることから、ダイス溝の形状は、形成すべき溝に対応するパンチに対応する形状であるといえる。
　そうすると、段落０００６、０００８の記載を参照すれば、パンチの形状は、ほぼ長Ｕ字状をした溝に対応する形状であるということができる。
　
　そして、補正後の請求項１には、「その傾斜形状に対応させて次第に高さを増すように下向きに突出させた」ことについて、「溝の大きさに対応し、しかもエッジ部材における接地側先端部に対応する部分のみ」と記載されている。この「のみ」について検討すると、「のみ」の意味は「だけ。ばかり。」であることが、広辞苑（新村出　編，第２版増訂版，株式会社岩波書店，昭和５１年１２月１日，p.1750）に記載されている。そうすると、「その傾斜形状に対応させて次第に高さを増すように下向きに突出させた」部分は、「エッジ部材における接地側先端部に対応する部分」だけということになる。しかし、エッジ部材における接地側先端部に対応する部分
だけ
　
　したがって、「エッジ部材における接地側先端部に対応する部分のみに、その傾斜形状に対応させて次第に高さを増すように下向きに突出させた」ことが、出願当初明細書又は図面に記載されていたとすることができない。
　
　また、審判請求人は、審判請求後の平成１８年１１月１３日付け手続補正書の「本願のパンチによる効果」において、「エッジ部材１に略Ｕ字状の溝３を打ち抜く際に、パンチ７がエッジ部材１の平坦部から接地側先端部２の傾斜形状にかけて同時に加圧接して剪断がおこなわれ、剪断に際してパンチ７に偏荷重がかからず、パンチ７がダイスブロック８のダイス溝９内に垂直に挿入される結果、パンチ７の折損や変形、あるいは打ち抜かれた溝３へのバリの発生が防止でき、パンチブロック６およびダイスブロック８の耐久性を向上させるとともに、曲がりのない高品質のエッジ部材を得ることができる。」と主張している。
　しかし、請求人の主張するこの効果については、出願当初明細書には何ら記載されていない。また、この効果を得るためには、パンチ７の形状が、エッジ部材１の平坦部から接地側先端部２の傾斜形状と、「エッジ部材における接地側先端部に対応する部分のみ、その傾斜形状に対応させて次第に高さを増すように下向きに突出させた」ことが必要であるが、前述したとおり、前記事項については、出願当初明細書又は図面に記載されているということはできない。
　
　よって、平成１７年９月２６日付け手続補正書により補正された請求項１および段落０００５、００１３について、「溝の大きさに対応し、しかもエッジ部材における接地側先端部に対応する部分のみ、その傾斜形状に対応させて次第に高さを増すように下向きに突出させた」と補正した点については、本願の願書に最初に添付した明細書又は図面に記載した事項の範囲内においてしたといえず、特許法第１７条の２第３項に規定する要件を満たしていない。
　
５．むすび
　以上のとおり、本件出願に関する平成１７年９月２６日付けでした手続補正は、願書に最初に添付した明細書又は図面に記載した事項の範囲内においてしたものではないから、特許法第１７条の２第３項に規定する要件を満たしていない。
　よって、結論のとおり審決する。